(57)【要約】【課題】緩衝装置を取り付けるために戸板に別途穴加工を施す必要が必ずしもなく、折戸の背面にも取付けることが可能な折戸用の緩衝装置を提供する。【解決手段】戸板１１の前面に固定して取り付けられる平板状の取付部材６１ａと、取付部材６１ａの一方の面に突設されたダンパ収容部６２と、水平方向に圧縮され反発するダンパ６３と、ダンパ６３に装着された当接部材６４とを備え、取付部材６１ａには、これを戸板１１に固定するための螺子孔６１ｂ、６１ｃが形成されている。当接部材６４は、ダンパ６３のピストン軸の先端部に設けられており、ピストン軸と共に進退移動し且つその先端部が戸枠５０の内側壁に当接する。当接部材６４が折戸１０の閉じ際における戸板１１の回動に伴って押圧されることによりダンパ６３が圧縮され、その反発力として戸板１１に制動力が働く。【選択図】図２
2008248598.tif 000002
【特許請求の範囲】
【請求項１】
一対の戸板を互いに水平回動自在に連結してなる折戸の閉じ際における戸板相互の急激な回動を制動するべく少なくとも一方の戸板に取り付けられる緩衝装置であって、
戸板の前面または背面に固定して取り付けられる平板状の取付部材と、
取付部材の一方の面に突設されたダンパ収容部と、
水平方向に圧縮され反発するダンパと、
ダンパに装着された当接部材とを備え、
前記取付部材には、これを戸板に固定するための締結部材が貫通し当該締結部材の頭部が係合する締結部材挿通孔が形成されており、
前記ダンパ収容部は、
前記取付部材の前記一方の面から立ち上がっている環状の側壁部とこの側壁部の突端部を閉塞している端板部とを有するハウジングと、
当該ハウジングの側壁部外面に開口しているダンパ挿着孔とを備え、
前記ダンパは、
前記ダンパ挿着孔に挿入され固定されたダンパ本体と、
当該ダンパ本体の先端から突出して水平方向に進退移動するピストン軸とを備え、
前記当接部材は、
前記ピストン軸の先端部に設けられて前記ピストン軸と共に進退移動し且つその先端部がこの緩衝装置が取り付けられている戸板に対して相対的に水平回動する当接対象に当接する部材であり、
当該当接部材が折戸の閉じ際における戸板の回動に伴って前記所定の当接対象に押圧され前記ピストン軸とともに移動することによりダンパが圧縮されるように構成されている緩衝装置。
【請求項２】
前記当接部材の前記当接対象と当接する面が前記当接部材の進退方向に対して傾斜し且つ水平方向に傾倒している請求項１の緩衝装置。
【発明の詳細な説明】
【技術分野】
【０００１】
本発明は、シンクキャビネットや吊り戸棚等の建具或いは食器棚、書棚等の家具などに装備される折戸装置に関し、特に、折戸を閉める際の戸板相互の急激な回動を制動する緩衝装置に関する。
【背景技術】
【０００２】
折戸は、少なくとも二つの戸板を備え、相隣り合う戸板同士を蝶番を介して互いに水平方向に回動自在に連結するとともに、戸板の上端部をその上方に敷かれたレールにランナーを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。この種の問題を解決するには、折戸を閉める際の戸板相互の急激な回動を緩衝装置で制動することが有効である。
【０００４】
従来、戸板の閉め際における急激な回動を制動する緩衝装置として、蝶番を介して戸板（扉）を取り付けた戸枠（框）の内側側面部に、戸板（扉）の木口面に当接して戸板（扉）の回動を制動する力を及ぼすダンパを埋設したものが知られている。この種のダンパは、戸枠（框）に埋設されたシリンダ内に、戸枠（框）の内側側面から出没するピストンとこれを常時突出させる側に付勢する復元ばねとを備え、戸板（扉）が完全に閉まる寸前に戸板（扉）の木口面がピストンに当接し、復元ばねの反発力に抗してピストンが押されることにより、復元ばねの反発力をピストンを介して戸板（扉）に作用させる。（特許文献１、２）
【特許文献１】実開昭５３−１６６６１号公報
【特許文献２】実開昭５９−１１１２７９号公報
【発明の開示】
【発明が解決しようとする課題】
【０００５】
上述した従来の緩衝装置を折戸に取り付けるためには、ダンパを埋設するための取付穴を戸板に形成する必要があるため、緩衝装置を取り付けるために戸板に別途穴加工を施さなければならない。従来の緩衝装置は折戸の背面に取り付けることができないため、折戸を開いたときに戸板の木口面から緩衝装置が露出することになり、折戸の美観を損ねるという欠点もある。
【０００６】
本発明が解決しようとする課題は、緩衝装置を取り付けるために戸板に別途穴加工を施す必要が必ずしもなく、折戸の背面にも取付けることが可能な折戸用の緩衝装置を提供することにある。
【課題を解決するための手段】
【０００７】
上記課題を解決するために、一対の戸板を互いに水平回動自在に連結してなる折戸の閉じ際における戸板相互の急激な回動を制動するべく少なくとも一方の戸板に取り付けられる緩衝装置であって、戸板の前面または背面に固定して取り付けられる平板状の取付部材と、取付部材の一方の面に突設されたダンパ収容部と、水平方向に圧縮され反発するダンパと、ダンパに装着された当接部材とを備え、前記取付部材には、これを戸板に固定するための締結部材が貫通し当該締結部材の頭部が係合する締結部材挿通孔が形成されており、前記ダンパ収容部は、前記取付部材の前記一方の面から立ち上がっている環状の側壁部とこの側壁部の突端部を閉塞している端板部とを有するハウジングと、当該ハウジングの側壁部外面に開口しているダンパ挿着孔とを備え、前記ダンパは、前記ダンパ挿着孔に挿入され固定されたダンパ本体と、当該ダンパ本体の先端から突出して水平方向に進退移動するピストン軸とを備え、前記当接部材は、前記ピストン軸の先端部に設けられて前記ピストン軸と共に進退移動し且つその先端部がこの緩衝装置が取り付けられている戸板に対して相対的に水平回動する当接対象に当接する部材であり、当該当接部材が折戸の閉じ際における戸板の回動に伴って前記所定の当接対象に押圧され前記ピストン軸とともに移動することによりダンパが圧縮されるように構成されていることを特徴としている。
【０００８】
本発明の緩衝装置において、前記当接部材の前記当接対象と当接する面が前記当接部材の進退方向に対して傾斜し且つ水平方向に傾倒していることが望ましい。
【発明の効果】
【０００９】
本発明によれば、緩衝装置を取り付けるために戸板に別途穴加工を施す必要が必ずしもなく、折戸の背面にも取付けることが可能な折戸用の緩衝装置を提供することができる。
【発明を実施するための最良の形態】
【００１０】
以下、本発明の実施形態について図面を参照して説明する。
［第１の形態例］
図１は本発明に係る緩衝装置を備えた折戸装置の第１の形態を示す斜視図である。図２は図１に示す折戸装置の要部を拡大して示した斜視図である。図３は本発明の緩衝装置の全体斜視図である。図４は本発明の緩衝装置の分解斜視図である。図５（ａ）〜（ｅ）はそれぞれ本発明の緩衝装置の正面図、左側面図、右側面図、平面図、下面図である。図５（ｆ）は図５（ａ）中のＡ−Ａ線に沿って切断した断面を示す断面図である。
【００１１】
折戸装置１は、左右一対の戸板１１、１２を蝶番２１、２２、２３により互いに水平方向に回動自在に連結してなる折戸１０と、折戸１０の上方に敷かれたレール３０と、折戸１０をレール３０に吊り下げた状態でレール３０に沿って移動自在に支持しているランナー４１、４２と、レール３０が取り付けられた戸枠５０と、折戸１０の閉じ際における戸板１１、１２相互の急激な回動を制動すべく装備された緩衝装置６０とを備えている。蝶番２１、２２、２３は、折戸用の蝶番として広く用いられている公知の蝶番である。蝶番２１、２２、２３は、いわゆるキャッチ機構を備えており、折戸１０を閉じる際に両戸板１１、１２相互間の角度が略１２５度以上になると、そのキャッチ機構が作動して、折戸１０を強制的に全閉状態に誘導する。この例では、緩衝装置６０は、一方の戸板（この例では折戸１０を背面側から見たときに左側に位置する戸板）１１の戸枠５０に当接する側（図示の例では左側）の上隅部に取り付けられている。
【００１２】
緩衝装置６０は、戸板１１の背面に固定して取り付けられた取付部材６１と、取付部材６１の一方の面（図１、図２の例では表面）６１ａの中央部に突設されたダンパ収容部６２と、水平方向に圧縮され反発するダンパ６３と、ダンパ６３に装着された当接部材６４と、ダンパ６３の抜けを防止するためのキャップ６５とを備えている。
【００１３】
取付部材６１は、樹脂製又は金属製の板状の部材であり、その上下二箇所に螺子孔（締結部材挿通孔）６１ｂ、６１ｃが形成されており、螺子孔６１ｂ、６１ｃを通して螺子（締結部材）を戸板１１にねじ込んで締め付けることにより、戸板１１に固定されている。螺子孔６１ｂ、６１ｃには螺子の頭部が係合するようになっている。取付部材６１の戸枠（当接対象）５０の内側面に面する側縁部（図１、図２の例では左側の側縁部）６１ｄは、戸板１１の側面とほぼ面一になるように設けられる。
【００１４】
ダンパ収容部６２は、取付部材６１の前面から立ち上がっている円筒状の側壁部６２ａとこの側壁部６２ａの突端部を閉塞している端板部６２ｂとを有するハウジング６２ｃと、ハウジング６２ｃの側壁部外面に開口しているダンパ挿着孔６２ｄとを備えている。ハウジング６２ｃの側壁部６２ａのダンパ挿着孔６２ｄが開口している部分の側面は、取付部材６１の側縁部６１ｄとほぼ面一になっている。
【００１５】
ダンパ６３は、ダンパ挿着孔６２ｄに挿入され固定されたダンパ本体６３ａと、ダンパ本体６３ａの先端から突出して水平方向に進退移動するピストン軸６３ｂとを備えている。
【００１６】
当接部材６４は、その先端部６４ａが当接対象である戸枠５０に当接する部材である。当接部材６４は、ピストン軸６３ｂの先端部に取り付けられていて、ピストン軸６３ｂと共に進退移動するようになっている。当接部材６４の先端部６４ａの戸枠５０と当接する面は、当接部材６４の進退方向に対して傾斜し且つ水平方向に傾倒している。そして、当接部材６４が折戸１０の閉じ際における戸板１１の回動に伴って戸枠５０に押圧されピストン軸６３ｂとともにダンパ本体６３ａ側に移動することによりダンパ６２が圧縮されるようになっている。
【００１７】
キャップ６５は、ダンパ６３に当接部材６４側から被せて取り付けられた環状の部材である。キャップ６５のハウジング６２ｃ側の端縁部外周には段部６５ａが突設されている。一方、ハウジング６２ｃのダンパ挿着孔６２ｄの開口部には内側に突出させて係止爪６２ｅが設けられている。そして、キャップ６５の端縁部をダンパ挿着孔６２ｄの開口部に嵌め込むことにより、キャップ６５の段部６５ａがダンパ挿着孔６２ｄ内の係止爪６２ｅに係合し、ハウジング６２ｃからキャップ６５が離脱しないようになっている。このキャップ６５によってハウジング６２ｃからのダンパ６３及び当接部材６４の離脱が防止されている。
【００１８】
図６は折戸装置１の開閉時における一連の状態を示す部分平面図である。図６において、（ａ）は折戸１０が半開の状態であり、この状態から折戸１０を閉める際、（ｂ）の状態すなわち折戸１０の折曲角度が略１２５度になった時点で、蝶番２１、２２、２３のキャッチ機構が作動し、その働きにより折戸１０が強制的に（ｃ）の状態すなわち全閉状態まで誘導される。その際、蝶番２１、２２、２３のキャッチ機構の作動開始後から折戸１０が全閉状態になるまでの間の所定のタイミングで、ダンパ装置６３による制動力が効き始める。これにより、折戸１０は閉め際における両戸板１１、１２相互の急激な回動が制動されつつ、全閉状態まで静かに誘導される。
【００１９】
上記のように、この緩衝装置６０は、その取付部材６１を戸板１１に螺子で締着することにより戸板１１に取り付けることができるので、緩衝装置６０を取り付けるために戸板１１に別途穴加工を施す必要がない。したがって、この緩衝装置６０によれば、緩衝機構を備えた折戸装置１を従来よりも少ない工数で製造することができる。また、この緩衝装置６０は折戸１０の背面に取り付けることができる。したがって、前述した従来の緩衝装置のように折戸を開いたときに戸板の木口面から緩衝装置が露出し、折戸の美観を損ねるということがない。また、当接部材６４の戸枠５０と当接する面が当接部材６４の進退方向に対して傾斜し且つ水平方向に傾倒しているので、当接部材６４の先端のエッジ部が戸枠５０の内側面に引っ掛かるのを防止して、制動力をスムーズに働かせることができる。
【００２０】
［第２の形態例］
図７は本発明に係る緩衝装置を備えた折戸装置の第２の形態の要部を示す部分破断平面図である。この形態例では、戸板１１の戸枠５０に当接する側の上隅部に略円形の取付穴１１ａが形成されており、この取付穴１１ａにダンパ収容部６２を嵌合させた状態で取付部材６１を戸板１１に螺子で締着することにより、緩衝装置６０が戸板１１に取り付けられている。
【００２１】
図８は折戸装置１の開閉時における一連の状態を示す部分平面図である。図８において、（ａ）は折戸１０が全開の状態である。この折戸装置１は、緩衝装置６０のダンパ収容部６２が戸板１１に埋設されているので、戸板１１、１２をほぼ完全に重ね合わせた状態に折り畳むことができる。（ａ）の状態から折戸１０を閉める際、（ｂ）の状態を経て、（ｃ）の状態すなわち折戸１０の折曲角度が略１２５度になった時点で、蝶番２１、２２、２３のキャッチ機構が作動し、その働きにより折戸１０が強制的に（ｄ）の状態すなわち全閉状態まで誘導される。その際、蝶番２１、２２、２３のキャッチ機構の作動開始後から折戸１０が全閉状態になるまでの間の所定のタイミングで、ダンパ６３による制動力が効き始める。これにより、折戸１０は閉め際における両戸板１１、１２相互の急激な回動が制動されつつ、全閉状態まで静かに誘導される。
【００２２】
［第３の形態例］
図９は本発明に係る緩衝装置を備えた折戸装置の第３の形態を示す背面図である。図１０は図９に示す折戸装置の要部の分解斜視図である。緩衝装置６０は、左右の戸板１１、１２のうち一方の戸板１１の他方の戸板１２との連結端部に取り付けられている。この例では、三つの蝶番２１、２２、２３のうち最も高い位置に設けられた蝶番２１と戸板１１の上端縁との中間位置に緩衝装置６０が設けられている。
【００２３】
戸板１１には略円形の取付穴１１ｃが形成されており、この取付穴１１ｃにダンパ収容部６２を嵌合させた状態で取付部材６１を戸板１１に螺子で締着することにより、緩衝装置６０が戸板１１に取り付けられている。緩衝装置６０の当接部材６４は、戸板１１の木口面１１ｂから突出しており、折戸１０が閉じられる際の所定のタイミングでもう一方の戸板１２の木口面に当接するように、その先端部の形状及び突出長が選定されている。すなわち、この折戸装置１は、当接部材６４が折戸１０の閉じ際における両戸板１１、１２相互の回動に伴って戸板１２の木口面に押圧されてピストン軸６３ｂとともにダンパ本体６３ａ側に移動することによりダンパ６３が圧縮され、その反発力によって折戸１０の閉じ際における急激な回動が制動されるように構成されている。
【００２４】
［第４の形態例］
図１１は本発明に係る緩衝装置を備えた折戸装置の第４の形態を示す背面図である。この形態例の折戸装置２は、各々の当接部材６４が設けられている側を互いに向き合わせるようにして互いに隣接させて設けられた同一構造の一対の緩衝装置７０（７０Ａ、７０Ｂ）を備えている。一方の緩衝装置（第１緩衝装置）７０Ａは、一方の戸板１１の他方の戸板１２との連結端部に取り付けられている。他方の緩衝装置（第２緩衝装置）７０Ｂは、他方の戸板１２の一方の戸板１１との連結端部に取り付けられている。戸板１１、１２には、それぞれ取付穴１１ｃ、１２ｃが形成されている。両取付穴１１ｃ、１２ｃは、折戸１０を折り畳んで両戸板１１、１２を重ね合わせたときに互いに向き合う位置に形成されている。そして、両緩衝装置７０Ａ、７０Ｂは、各取付穴１１ｃ、１２ｃにダンパ収容部６２を嵌合させた状態で取付部材６１をそれぞれ戸板１１、１２に螺子で締着することにより、戸板１１、１２に取り付けられている。
【００２５】
緩衝装置７０（７０Ａ、７０Ｂ）は、ハウジング６２ｃ内にダンパ保持位置調節機構７１を備えている。ダンパ保持位置調節機構７１は、螺子歯車（ウォーム）７２ａとはす歯歯車（ウォームホイール）７２ｂとからなるウォームギア７２と、ダンパ本体６３ａの外周部に固定されたラック７３とからなる。ダンパ６３は、その伸縮方向（水平方向）に進退移動可能に保持されている。ウォームギア７２のウォームホイール７２ｂとダンパ本体６３ａのラック７３は互いに噛み合っている。ハウジング６２ｃの端板部６２ｂ、又は取り付け部材６１には、ウォーム７２ａを回動操作するための操作孔６２ｅが形成されている。すなわち、このダンパ保持位置調節機構７１は、ハウジング６２ｃの操作孔６２ｅにドライバなどの工具を差し込んでウォーム７２ａを回動操作することにより、ウォームホイール７２ｂを回動させ、これと噛合しているラック７３を移動させることにより、ダンパ６３の水平方向における保持位置を微調節できるように構成されている。
【００２６】
また、この形態例では、図１１のように同一構造の一対の緩衝装置７０Ａ、７０Ｂを互いに向き合わせて設けたときに、両緩衝装置７０Ａ、７０Ｂのダンパ６３同士が干渉し合わないように、ダンパ６３がハウジング６２ｃの中心からその伸縮方向（水平方向）と直交する方向（図示上下方向）に外れた位置に保持されている。そして、折戸１０の閉じ際における両戸板１１、１２の相互の回動に伴って、一方の戸板１１に取り付けられた第１緩衝装置７０Ａの当接部材６４が他方の戸板１２の木口面に押圧されると同時に、他方の戸板１２に取り付けられた第２緩衝装置７０Ｂの当接部材６４が一方の戸板１１の木口面に押圧されて、各当接部材６４がピストン軸６３ｂとともにダンパ本体６３ａ側に移動することにより両ダンパ６３が同時に圧縮され、両ダンパ６３の反発力によって折戸１０の閉じ際における急激な回動を制動するように構成されている。
【００２７】
上記のように折戸１０に緩衝装置７０Ａ、７０Ｂを二つ装備することにより、緩衝装置７０を一つだけ装備した場合と比較して理論上２倍の強さの制動力を折戸１０に作用させることができる。また、各緩衝装置７０Ａ、７０Ｂにダンパ保持位置調節機構７１を備えたことにより、折戸の性質上重要となる平行度の調整を容易に実施可能となる。
【００２８】
なお、上記の例では、緩衝装置７０を二つ備えた構成について説明したが、折戸の重量が大きいなどの理由で制動力が依然不足する場合には、緩衝装置７０を三つ以上装備することが有効である。
【００２９】
また、上記の例では、上荷重式の折戸装置について説明したが、本発明の緩衝装置は下荷重式の折戸装置に装備しても有効に機能する。
【００３０】
また、上記の例では、本発明の緩衝装置が折戸の前面に取り付けられているが、折戸の前面に取り付けてもよいことは無論である。
【図面の簡単な説明】
【００３１】
【図１】本発明に係る緩衝装置を備えた折戸装置の第１の形態を示す斜視図
【図２】図１に示す折戸装置の要部（領域Ａ）を拡大して示した斜視図
【図３】本発明の緩衝装置の全体斜視図
【図４】本発明の緩衝装置の分解斜視図
【図５】（ａ）〜（ｅ）はそれぞれ本発明の緩衝装置の正面図、左側面図、右側面図、平面図、下面図  （ｆ）は図５（ａ）中のＡ−Ａ線に沿って切断した断面を示す断面図
【図６】折戸装置の開閉時における一連の状態を示す部分平面図
【図７】（ａ）は本発明に係る緩衝装置を備えた折戸装置の第２の形態を示す部分破断平面図、（ｂ）は（ａ）に示す折戸装置の要部（領域Ａ）を拡大して示した部分破断平面図
【図８】折戸装置の開閉時における一連の状態を示す部分平面図
【図９】本発明に係る緩衝装置を備えた折戸装置の第３の形態を示す背面図
【図１０】図９に示す折戸装置の要部の分解斜視図
【図１１】本発明に係る緩衝装置を備えた折戸装置の第４の形態を示す背面図
【符号の説明】
【００３２】
１  折戸装置
１０  折戸
１１  戸板
１１ａ  取付穴
１１ｃ  取付穴
１２  戸板
１２ａ  取付穴
１２ｃ  取付穴
２１、２２、２３  蝶番
３０  レール
４１、４２  ランナー
５０  戸枠（当接対象）
６０  緩衝装置
６１  取付部材
６１ａ  一方の面
６１ｂ、６１ｃ  螺子孔（締結部材挿通孔）
６２  ダンパ収容部
６２ａ  側壁部
６２ｂ  端板部
６２ｃ  ハウジング
６２ｄ  ダンパ挿着孔
６３  ダンパ
６３ａ  ダンパ本体
６３ｂ  ピストン軸
６４  当接部材
７０（７０Ａ、７０Ｂ）  緩衝装置
７１  ダンパ保持位置調節機構
【図１】
2008248598.tif 000003
【図２】
2008248598.tif 000004
【図３】
2008248598.tif 000005
【図４】
2008248598.tif 000006
【図５】
2008248598.tif 000007
【図６】
2008248598.tif 000008
【図７】
2008248598.tif 000009
【図８】
2008248598.tif 000010
【図９】
2008248598.tif 000011
【図１０】
2008248598.tif 000012
【図１１】
2008248598.tif 000013